(57)【特許請求の範囲】
【請求項１】
少なくとも１つの結合領域を有する滑り止め本体と、
前記少なくとも１つの結合領域内部に維持され、または前記少なくとも１つの結合領域上に配置されるように構成されている少なくとも１つの要素と
を含む滑り止めアセンブリであって、
前記少なくとも１つの結合領域が、前記滑り止め本体の前方端または後方端に配置されて、その結果、前記少なくとも１つの要素が、自転車ペダルの部分に対してカム面として機能することができ、
前記少なくとも１つの要素が、３６０°回転するように構成されている、滑り止めアセンブリ。
【請求項２】
前記少なくとも１つの結合領域が、その上に形成される少なくとも１つの凹所を有し、前記少なくとも１つの要素が、前記少なくとも１つの凹所の中に受容されるように成形されている、請求項１に記載の滑り止めアセンブリ。
【請求項３】
前記少なくとも１つの要素が、略円筒形状を含む、請求項１に記載の滑り止めアセンブリ。
【請求項４】
前記略円筒形状が、丸みを帯びた頂部縁を含む、請求項３に記載の滑り止めアセンブリ。
【請求項５】
前記少なくとも１つの要素が、カーバイドを含む非金属の材料から作製される、請求項１に記載の滑り止めアセンブリ。
【請求項６】
前記カーバイドが、炭化ケイ素、炭化ホウ素、炭化タングステンおよび炭化チタンから成る群から選択される、請求項５に記載の滑り止めアセンブリ。
【請求項７】
前記少なくとも１つの要素が略円形である、請求項１記載の滑り止めアセンブリ。
【請求項８】
第１の端部および第２の端部を含むペダル本体と、
前記ペダル本体の前記第１の端部近傍に取り付けられている第１のリテーナと、
前記ペダル本体の前記第２の端部近傍に取り付けられている第２のリテーナと
を備えるペダルアセンブリと、
前記ペダルアセンブリに解放可能に結合されるように構成されている滑り止めアセンブリであって、
少なくとも１つの結合領域を有する滑り止め本体と、
前記少なくとも１つの結合領域内に維持され、または前記少なくとも１つの結合領域上に配置されるように成形された少なくとも１つの要素と
を備える滑り止めアセンブリと
を備えるペダルおよび滑り止めアセンブリであって、
前記少なくとも１つの結合領域が、前記滑り止め本体の前方端または後方端に配置されて、その結果、前記少なくとも１つの要素が、前記第１のリテーナまたは前記第２のリテーナに対してカム面として機能することができ、
前記少なくとも１つの要素が、３６０°回転するように構成されている、ペダルおよび滑り止めアセンブリ。
【請求項９】
前記少なくとも１つの結合領域が、前記滑り止め本体上に形成される少なくとも１つの凹所である、請求項８に記載のペダルおよび滑り止めアセンブリ。
【請求項１０】
前記少なくとも１つの要素が、略円筒形状を有する、請求項８に記載のペダルおよび滑り止めアセンブリ。
【請求項１１】
前記略円筒形状が、丸みを帯びた頂部縁を有する、請求項１０に記載のペダルおよび滑り止めアセンブリ。
【請求項１２】
前記丸みを帯びた頂部縁が、前記カム面である、請求項１１に記載のペダルおよび滑り止めアセンブリ。
【請求項１３】
前記滑り止めアセンブリが前記ペダルアセンブリから解放される時、前記少なくとも１つの要素の前記回転が、前記滑り止めアセンブリと前記ペダルアセンブリとの間の摩擦を低減する、請求項８に記載のペダルおよび滑り止めアセンブリ。
【請求項１４】
前記滑り止めアセンブリが前記ペダルアセンブリから解放される時、前記少なくとも１つの要素の前記回転が、前記滑り止め本体を前記ペダル本体に対して枢動させることを促進する、請求項８に記載のペダルおよび滑り止めアセンブリ。
【請求項１５】
前記少なくとも１つの要素が、カーバイドを含む非金属の材料から作製される、請求項８に記載のペダルおよび滑り止めアセンブリ。
【請求項１６】
前記カーバイドが、炭化ケイ素、炭化ホウ素、炭化タングステンおよび炭化チタンから成る群から選択される、請求項１５に記載のペダルおよび滑り止めアセンブリ。
【請求項１７】
前記少なくとも１つの要素が略円形である、請求項８記載の滑り止めアセンブリ。
【請求項１８】
少なくとも１つの結合領域を有する滑り止め本体と、
前記少なくとも１つの結合領域内部に維持され、または前記少なくとも１つの結合領域上に配置されるように構成されている少なくとも１つの要素と、
を含む滑り止めアセンブリであって、
前記少なくとも１つの結合領域が、前記滑り止め本体の前方端または後方端に配置されて、その結果、前記少なくとも１つの要素が、自転車のペダルの部分に対してカム面として機能することができ、
前記少なくとも１つの要素が３６０°回転するように構成されており、
前記少なくとも１つの要素が略円筒形状を有している、滑り止めアセンブリ。
【請求項１９】
前記略円筒形状が、丸みを帯びた頂部縁を有する、請求項１８記載の滑り止めアセンブリ。
【請求項２０】
第１の端部および第２の端部を有するペダル本体と、
前記ペダル本体の前記第１の端部近傍に取り付けられている第１のリテーナと、
前記ペダル本体の前記第２の端部近傍に取り付けられている第２のリテーナと、
を含んだペダルアセンブリと、
前記ペダルアセンブリに解放可能に結合されるように構成されている滑り止めアセンブリであって、
少なくとも１つの結合領域を有する滑り止め本体と、
前記少なくとも１つの結合領域内部に維持され、または前記少なくとも１つの結合領域上に配置されるように形状化されている少なくとも１つの要素と、
を含む滑り止めアセンブリと、
を含んでおり、
前記少なくとも１つの結合領域が、前記滑り止め本体の前方端または後方端に配置されて、その結果、前記少なくとも１つの要素が、前記第１のリテーナまたは前記第２のリテーナに対してカム面として機能することができ、
前記少なくとも１つの要素が３６０°回転するように構成されており、
前記少なくとも１つの要素が略円筒形状を有している、
ペダルおよび滑り止めアセンブリ。
【請求項２１】
前記略円筒形状が、丸みを帯びた頂部縁を有する、請求項２０記載のべダルおよび滑り止めアセンブリ。
【請求項２２】
前記丸みを帯びた頂部縁が前記カム面である、請求項２１記載のべダルおよび滑り止めアセンブリ。
【発明の詳細な説明】
【技術分野】
【０００１】
本発明は、概して、改良されたペダルおよび滑り止めアセンブリに関し、より詳細には、様々な環境条件下で、ペダルおよび滑り止めの容易な係合および解放を可能にする特徴を組み込むペダルおよび滑り止めアセンブリに関する。
【背景技術】
【０００２】
クリップレスペダル（「クリップイン」ペダルまたは「ステップイン」ペダルとしても公知である）は、乗り手の靴の底に嵌合される滑り止めを必要とし、滑り止めはペダルに係止し、それによって靴をペダルにしっかりと保持する。クリップレスペダルは、様々な形態を取り、典型的には、ロードサイクリングおよびオフロードバイクまたはマウンテンバイクなど、特定のタイプのサイクリングの要求のために適合されている。
【０００３】
クリップレスペダルに所望される多くの特徴の中で特に、滑り止めをペダルに容易に係合させ、次いで滑り止めをペダルから解放することができることは、サイクリングの効率および安全性の両面にとって重要である。滑り止めをペダルから容易に解放することができることは、乗り手がバイクを操縦するため、または転倒を回避するために地面に一方、または両方の足を置くことを可能にするので、おそらく乗り手の安全性を保証するためにより重要な要素である。自転車および特定のオフロードバイクまたはマウンテンバイクがさらされる通常の環境条件は、要求に応じて滑り止めをペダルから解放する能力に支障をきたすことが多い。
【０００４】
したがって、様々な環境条件下で、ペダルおよび滑り止めの容易な係合および解放を可能にする改良された滑り止めおよびペダルアセンブリが必要である。
【発明の概要】
【発明が解決しようとする課題】
【０００５】
滑り止めおよびペダルアセンブリの信頼性のある、容易な係合および解放を提供する滑り止めおよびペダルアセンブリの様々な実施形態が、本明細書において説明される。クリップレスペダル、特にオフロード使用向けに作製されるクリップレスペダルは、典型的には靴底の中に組み込まれた小さい窪んだ空洞の中に取り付けられる相対的に小さい滑り止め部品を用いて設計されることが多い。滑り止めが相対的に小さいので、滑り止めアセンブリとペダルアセンブリの接触面が、使用中、ならびに係合および解放中に、高い圧力、高い荷重および高い摩擦の影響下にある。これらの相対的に小さい部品に加えられる要求および力が高いとすれば、滑り止めとペダルとの間の接触領域が、摩擦および断裂に耐え、かつ固着にも耐える材料から作製されることが重要である。したがって、オフロード用クリップレスペダルが、機械的応力に耐えるだけ十分に強いばかりでなく、更に、様々な環境条件下（例えば、濡れ、または汚れなど）で信頼できる係合および解放機能を可能にする材料から作製されることが望ましい。焼入れ鋼、真鍮などの金属、ならびにより少ない程度にアルミニウムおよびプラスチックが滑り止めアセンブリとペダルアセンブリの接触面に採用され、様々なレベルの効果があった。
【０００６】
金属、特に焼入れ鋼は、これらの接触面に使用するために好適な材料であることが証明されてきた。しかしながら、滑り止めアセンブリとペダルアセンブリの金属の接触面が、「固着する」または「冷間圧接する」可能性があって、金属接触面間に不所望の接着を生成し、それによって、滑り止めをペダルから解放することを可能にする、２つの面の要求される相対的な摺動を妨げることを発明者は認識している。言い換えれば、接触面間の摩擦係数（特に水および汚れに曝される場合）が、滑り止めとペダルの接触面間の「接着摩擦」が存在する点まで増加する。次いで、これは、乗り手がペダルから脱係合する能力に干渉し、それによって乗り手にとって危険な状況を生み出す。
【課題を解決するための手段】
【０００７】
発明者によって認識される１つの解決策は、滑り止めをペダルに係合し、およびペダルから解放することに影響を与える滑り止めとペダルアセンブリの接触面用に、異なる硬度の材料を採用することである。好適な実施形態では、接触面の両方ではないが、少なくとも１つが、焼入れ鋼よりも大きい硬度の尺度を有する、材料、好適には非金属材料またはセラミックから作製される。カーバイドが、特に好適な材料の選択肢である。カーバイドは、摩擦および腐食に対して極めて耐久性および抵抗力があるだけでなく、様々な状況下で低い摩擦係数を維持し、他の金属表面またはカーバイド表面に固着や冷間圧接することがない。
【０００８】
１つの好適な実施形態では、ペダルおよび滑り止めアセンブリが説明される。ペダルまたは滑り止めアセンブリの一方が、ペダルまたは滑り止めアセンブリの他方に結合するために、係合位置に付勢されるように構成されている第１のリテーナおよび第２のリテーナを備える。ペダルまたは滑り止めアセンブリの他方は、第１のリテーナおよび第２のリテーナによって係合位置に解放可能に固定されるように構成されている第１の部分および第２の部分を備える。第２の部分は、第１の付勢面および第２の付勢面を有する。第１の付勢面の一方が第１の付勢面の他方および第２のリテーナの外面上に第１の力を加える、または接触すると、第１のリテーナおよび第２のリテーナのいずれか一方または両方が、第１の部分および第２の部分を第１のリテーナおよび第２のリテーナによって固定されることを可能にする降伏位置に付勢される。第２の付勢面の一方が第２の付勢面の他方および第２のリテーナの側面上に第２の力を加える、または接触すると、第１のリテーナおよび第２のリテーナのいずれか一方または両方が、固定された第２の部分を第２のリテーナから解放されることを可能にする降伏位置に付勢されるように構成されている。第２の付勢面および第２のリテーナの側面の少なくとも１つが、焼入れ鋼よりも大きい硬度の尺度を有する材料から作製される。
【０００９】
第１の態様によれば、材料は、カーバイドを含み、好適には、炭化ケイ素、炭化ホウ素、炭化タングステンおよび炭化チタンから成る群から選択される。
【００１０】
第２の態様によれば、第２の付勢面および第２のリテーナの側面の一方が、カーバイドを含む材料から作製され、第２の付勢面および側面の他方が、金属を含む材料から作製される。好適には、金属は焼入れ鋼である。
【００１１】
第３の態様によれば、第２の付勢面および第２のリテーナの側面の両方が、カーバイドから作製される。
【００１２】
第４の態様によれば、側面は、アール形状、傾斜状、または曲線状であり、第２の付勢面は、側面を補完する面を有する。
【００１３】
第５の態様によれば、第１のリテーナおよび第２のリテーナは、ペダルアセンブリ上に設けられ、第１の部分および第２の部分は、滑り止めアセンブリ上に設けられる。
【００１４】
第６の態様によれば、第１のリテーナおよび第２のリテーナは、係合位置に付勢される。
【００１５】
第２の好適な実施形態では、別のタイプのペダルおよび滑り止めアセンブリが説明される。ペダルまたは滑り止めアセンブリの一方が、ペダルまたは滑り止めアセンブリの他方上に配置される係合部分を解放可能に固定する係合位置に付勢されるように構成されているリテーナ部分を備える。係合部分は、第１の付勢面および第２の付勢面を備える。第１の付勢面の一方が第１の付勢面の他方およびリテーナ部分の外面上に第１の力を加える、または接触すると、係合部分が、リテーナ部分によって固定されることを可能にする降伏位置に付勢されるように、リテーナ部分は構成されている。第２の付勢面の一方が第２の付勢面の他方およびリテーナ部分の外面上に第２の力を加える、または接触すると、係合部分が、リテーナ部分から解放されることを可能にする降伏位置に付勢されるように、リテーナ部分は構成されている。第２の付勢面およびリテーナ部分の側面の少なくとも１つが、焼入れ鋼よりも大きい硬度の尺度を有する材料から作製される。
【００１６】
第１の態様によれば、材料は、カーバイドを含み、好適には、炭化ケイ素、炭化ホウ素、炭化タングステンおよび炭化チタンから成る群から選択される。
【００１７】
第２の態様によれば、第２の付勢面およびリテーナ部分の側面の一方が、カーバイドを含む材料から作製され、第２の付勢面およびリテーナ部分の側面の他方が、金属を含む材料から作製される。好適には、金属は焼入れ鋼である。
【００１８】
第３の態様によれば、第２の付勢面およびリテーナ部分の側面の両方が、カーバイドから作製される。
【００１９】
第４の態様によれば、リテーナ部分が、係合部分に弾性的に付勢される。
【００２０】
第３の好適な実施形態では、さらに別のタイプのペダルおよび滑り止めアセンブリが説明される。ペダルまたは滑り止めアセンブリの一方が、ペダルまたは滑り止めアセンブリの他方を着脱可能に結合するためのリテーナを備え、リテーナは第１の面を備える。ペダルまたは滑り止めアセンブリの他方が、リテーナに着脱可能に結合されるように構成されている係合部分を備え、係合部分は、第２の面を備える。ペダルおよび滑り止めアセンブリが互いに結合される場合、第１の面および第２の面は、互いに接触する。第１の面および第２の面の少なくとも１つが、焼入れ鋼よりも大きい硬度の尺度を有する材料から作製される。
【００２１】
第１の態様によれば、材料は、カーバイドを含み、好適には、炭化ケイ素、炭化ホウ素、炭化タングステンおよび炭化チタンから成る群から選択される。
【００２２】
第２の態様によれば、第１の面および第２の面の一方が、カーバイドを含む材料から作製され、第１の面および第２の面の他方が、金属を含む材料から作製される。好適には、金属は焼入れ鋼である。
【００２３】
第３の態様によれば、第１の面および第２の面の両方が、カーバイドから作製される。
【００２４】
第４の態様によれば、リテーナは、滑り止めアセンブリに可動的に結合されるばねであり、係合部分は、ペダルアセンブリの内部に配置されているカム挿入部を備え、ばねは弾性金属から作製され、カム挿入部はカーバイドから作製される。
【００２５】
第４の好適な実施形態で、滑り止めアセンブリが説明される。滑り止めアセンブリが、少なくとも１つの結合領域と、少なくとも１つの結合領域内に維持される、または少なくとも１つの結合領域上に配置されるように構成される少なくとも１つの要素とを備える。少なくとも１つの結合領域が、滑り止め本体の前方端または後方端に配置されて、その結果、少なくとも１つの要素が、自転車ペダルの部分に対してカム面として機能することができる。少なくとも１つの要素は、少なくとも１つの結合領域内部に維持される、または少なくとも１つの結合領域上に配置される時、回転または関節接合して、滑り止めアセンブリを自転車ペダルから解放することを促進するように構成されている。
【００２６】
第１の態様によれば、少なくとも１つの結合領域は、その上に形成される少なくとも１つの凹所であり、少なくとも１つの要素は、少なくとも１つの凹所の中に受容されるように成形されている。
【００２７】
第２の態様によれば、少なくとも１つの凹所は、少なくとも２つの凹所を備え、少なくとも１つの要素は、少なくとも２つの要素を備える。
【００２８】
第３の態様によれば、少なくとも１つの要素は、略円筒形状を有する。
【００２９】
第４の態様によれば、略円筒形状は、丸みを帯びた頂部縁を有する。
【００３０】
第５の態様によれば、滑り止めアセンブリが自転車ペダルから解放される時、少なくとも１つの要素の回転または関節接合が、滑り止めアセンブリと自転車ペダルとの間の摩擦を低減する。
【００３１】
第６の態様によれば、滑り止めアセンブリが自転車ペダルから解放される時、少なくとも１つの要素の回転または関節接合が、滑り止め本体を自転車ペダルに対して枢動させることを促進する。
【００３２】
第７の態様によれば、少なくとも１つの要素は、焼入れ鋼よりも大きい硬度の尺度を有する材料から作製される。
【００３３】
第８の態様によれば、材料は、カーバイドを含む。
【００３４】
第９の態様によれば、カーバイドは、炭化ケイ素、炭化ホウ素、炭化タングステンおよび炭化チタンから成る群から選択される。
【００３５】
第５の好適な実施形態では、さらに別のタイプのペダルおよび滑り止めアセンブリが説明される。ペダルアセンブリは、第１の端部および第２の端部を含むペダル本体と、ペダル本体の第１の端部近傍に取り付けられている第１のリテーナと、ペダル本体の第２の端部近傍に取り付けられている第２のリテーナとを備える。滑り止めアセンブリは、ペダルアセンブリに解放可能に結合されるように構成されている。滑り止めアセンブリは、少なくとも１つの結合領域と、少なくとも１つの結合領域内に維持される、または少なくとも１つの結合領域上に配置されるように成形された少なくとも１つの要素とを備える。少なくとも１つの結合領域は、滑り止め本体の前方端または後方端に配置されて、その結果、少なくとも１つの要素が、第１のリテーナまたは第２のリテーナに対してカム面として機能することができる。少なくとも１つの要素は、少なくとも１つの凹所内部に維持される、または少なくとも１つの凹所上に配置される場合、回転または関節接合して、滑り止めアセンブリをペダルアセンブリから解放することを促進するように構成されている。
【００３６】
第１の態様によれば、少なくとも１つの結合領域は、滑り止め本体の中に形成される少なくとも１つの凹所である。
【００３７】
第２の態様によれば、少なくとも１つの凹所は、少なくとも２つの凹所を備え、少なくとも１つの要素は、少なくとも２つの要素を備える。
【００３８】
第３の態様によれば、少なくとも１つの要素は、略円筒形状を含む。略円筒形状は、丸みを帯びた頂部縁を含む。滑り止めアセンブリがペダルアセンブリから解放される時、少なくとも１つの要素の関節接合または回転が、滑り止めアセンブリとペダルアセンブリとの間の摩擦を低減する。このことは、滑り止めアセンブリがペダルアセンブリから解放される時、滑り止め本体をペダル本体に対して枢動させることを促進する。
【００３９】
第４の態様によれば、少なくとも１つの要素は、焼入れ鋼よりも大きい硬度の尺度を有する材料から作製される。
【００４０】
第５の態様によれば、材料は、カーバイドを含む。カーバイドは、炭化ケイ素、炭化ホウ素、炭化タングステンおよび炭化チタンから成る群から選択される。
【００４１】
第６の好適な実施形態によれば、自転車ペダルに靴を結合係合するために靴の裏面に取り付けるように構成されている滑り止めアセンブリが提供される。滑り止めアセンブリは、ペダル面に対向するように構成されている１つまたは複数のペダル接触領域を画定する滑り止めを備える。１つまたは複数のペダル接触領域は、それぞれ焼入れ鋼よりも大きい硬度の尺度を有する材料から作製される少なくとも滑り止め部分を備える。
【００４２】
第１の態様によれば、１つまたは複数のペダル接触領域は、略平面である。
【００４３】
第２の態様によれば、１つまたは複数のペダル接触領域は、それぞれ成形された凹所を備え、滑り止め部分が、成形された凹所内に、およびペダル接触領域と略同一平面に配置可能である要素である。
【００４４】
第３の態様によれば、ペダル接触領域は、スピンドルの軸線に沿ってペダル面に接触するように滑り止め上に配置される。
【００４５】
第４の態様によれば、ペダル接触領域は、滑り止めアセンブリの対向する側面上に配置されて、スピンドルの軸線に沿って内側位置および外側位置の両方で自転車ペダル上の面に接触する。
【００４６】
第５の態様によれば、ペダル接触領域が、滑り止めアセンブリの前方縁および後方縁の一方または両方の近傍に配置されている。
【００４７】
第６の態様によれば、材料は、カーバイドを含む。
【００４８】
第７の態様によれば、カーバイドは、炭化ケイ素、炭化ホウ素、炭化タングステンおよび炭化チタンから成る群から選択される。
【００４９】
第７の好適な実施形態では、ペダルアセンブリを靴に結合係合するために、靴の裏面上に配置される滑り止めアセンブリを取り付けるように構成されているペダルアセンブリが提供される。ペダルアセンブリは、１つまたは複数の略平坦な表面を有するペダル本体を備える。平面の表面は、滑り止めに対向するように構成されている滑り止め接触領域を備える。滑り止め接触領域は、焼入れ鋼よりも大きい硬度の尺度を有する材料から作製される少なくともペダル部分を備える。
【００５０】
第１の態様によれば、１つまたは複数の滑り止め接触領域は、成形された凹所を備え、ペダル部分が、成形された凹所内に、および滑り止め接触領域と略同一平面に配置可能である要素である。
【００５１】
第２の態様によれば、滑り止め接触領域は、ペダルアセンブリのスピンドルの軸線に沿って配置される。
【００５２】
第３の態様によれば、滑り止め接触領域は、スピンドルの軸線に沿って内側位置および外側位置上に配置される。
【００５３】
第４の態様によれば、材料は、カーバイドを含む。
【００５４】
第５の態様によれば、カーバイドは、炭化ケイ素、炭化ホウ素、炭化タングステンおよび炭化チタンから成る群から選択される。
【００５５】
第８の好適な実施形態では、ペダルおよび滑り止めアセンブリが説明される。ペダルおよび滑り止めアセンブリは、滑り止め接触領域を有するペダル本体、およびペダル本体に結合係合するように構成されている滑り止め本体を備える。滑り止め本体は、滑り止め接触領域に対向するペダル接触領域を有する。滑り止め本体がペダル本体に結合係合することによって、滑り止め接触領域およびペダル接触領域の各部分が、直接物理的に接触する。滑り止め接触領域またはペダル接触領域の各部分のいずれか一方または両方は、焼入れ鋼よりも大きい硬度の尺度を有する材料から作製される。
【００５６】
第１の態様によれば、滑り止めアセンブリの部分は、焼入れ鋼よりも大きい硬度の尺度を有する材料から作製される。
【００５７】
第２の態様によれば、ペダルアセンブリの部分は、焼入れ鋼よりも大きい硬度の尺度を有する材料から作製される。
【００５８】
第３の態様によれば、ペダルおよび滑り止めアセンブリの部分の両方は、焼入れ鋼よりも大きい硬度の尺度を有する材料から作製される。
【００５９】
第４の態様によれば、部分は、ペダルアセンブリのスピンドルの軸線に沿って配置される。
【００６０】
第５の態様によれば、材料は、カーバイドを含む。
【００６１】
第６の態様によれば、カーバイドは、炭化ケイ素、炭化ホウ素、炭化タングステンおよび炭化チタンから成る群から選択される。
【００６２】
説明される好適な実施形態の他の目的、特徴および利点が、以下の詳細な説明から当業者にとって明らかになるであろう。しかし、詳細な説明および特定の実施例は、本発明の好適な実施形態を示しているが、説明のために与えられるものであり、限定するものではない。本発明の範囲内の多くの変形形態および修正形態が、本発明の趣旨から逸脱せずに作製可能であり、本発明は、そのような修正形態をすべて包含するものである。
【００６３】
本発明の好適な、限定されない実施形態が、添付の図面を参照することによって、より容易に理解され得る。
【図面の簡単な説明】
【００６４】
【図１】ペダルおよび滑り止めアセンブリの別の実施形態の分解斜視図である。
【図２】図１の滑り止めアセンブリの斜視図である。
【図３】固定係合して一体に結合されている図１のペダルおよび滑り止めアセンブリの斜視図である。
【図４Ａ】結合されたペダルおよび滑り止めアセンブリを示す図である。
【図４Ｂ】ペダルアセンブリから滑り止めアセンブリの解放を示す図である。
【図５Ａ】滑り止めアセンブリのさらに別の実施形態の上面斜視図である。
【図５Ｂ】滑り止めアセンブリのさらに別の実施形態の上面斜視図である。
【図６Ａ】図５Ａおよび図５Ｂの滑り止めアセンブリの上面図である。
【図６Ｂ】図５Ａおよび図５Ｂの滑り止めアセンブリの底面図である。
【図７】ペダルおよび滑り止めアセンブリの別の実施形態の分解斜視図である。
【図８Ａ】図７の組み立てられたペダルおよび滑り止めアセンブリの２つの側の斜視図である。
【図８Ｂ】図７の組み立てられたペダルおよび滑り止めアセンブリの２つの側の斜視図である。
【図８Ｃ】図８Ｂの組み立てられたペダルおよび滑り止めアセンブリの上面図である。
【図９Ａ】図７の滑り止めアセンブリの２つの側の分解斜視図である。
【図９Ｂ】図７の滑り止めアセンブリの２つの側の分解斜視図である。
【図１０】図７のペダルアセンブリの分解斜視図である。
【図１１】滑り止めアセンブリのばねとペダルアセンブリの中に配置されたカム部材との係合を示す平面図である。
【図１２Ａ】２つの成形された要素が滑り止め本体上に形成されている対応して成形された凹所の中に受容されていることを示す、滑り止めアセンブリのさらなる実施形態の上面斜視図である。
【図１２Ｂ】滑り止め本体上に形成されている成形された凹所を示すために、２つの成形された要素が省かれている、図１２Ａの滑り止めアセンブリの上面斜視図である。
【図１２Ｃ】図１２Ａの滑り止めアセンブリの底面図である。
【図１２Ｄ】図１２Ａの滑り止めアセンブリの左側立面図である。
【図１２Ｅ】図１２Ａの滑り止めアセンブリの上面図である。
【図１３Ａ】リング状の滑り止め本体の実施形態の上面斜視図である。
【図１３Ｂ】図１３Ａの滑り止め本体の底面斜視図である。
【図１３Ｃ】図１３Ａの滑り止め本体の上面図である。
【図１３Ｄ】図１３Ａの線１３Ｄ−１３Ｄに沿って取られた、図１３Ａの滑り止め本体の断面図である。
【図１３Ｅ】図１３Ａの滑り止め本体の別の上面斜視図である。
【図１３Ｆ】図１３Ｅの線１３Ｆ−１３Ｆに沿って取られた、図１３Ａの滑り止め本体の断面図である。
【図１３Ｇ】図１３Ａの滑り止め本体の底面図である。
【図１４Ａ】滑り止めアセンブリ用の円筒形要素の実施形態の斜視図である。
【図１４Ｂ】図１４Ａの円筒形要素の側面図である。
【図１４Ｃ】図１４Ａの円筒形要素の上面図であり、底面図が上面図と同じである。
【図１５Ａ】ペダルアセンブリおよび滑り止め接触要素の実施形態の分解斜視図である。
【図１５Ｂ】滑り止め接触要素が上に固定されている、図１５Ａのペダルアセンブリの斜視図である。
【図１５Ｃ】滑り止めアセンブリおよびペダル接触要素の実施形態の分解斜視図であり、滑り止めアセンブリは図１５Ａ−１５Ｂのペダルアセンブリに対応する。
【図１５Ｄ】ペダル接触要素が上に固定されている、図１５Ａの滑り止めアセンブリの斜視図である。
【図１６Ａ】ペダルアセンブリおよび滑り止め接触要素の実施形態の分解斜視図である。
【図１６Ｂ】滑り止め接触要素が上に固定されている、図１６Ａのペダルアセンブリの斜視図である。
【図１６Ｃ】滑り止めアセンブリおよびペダル接触要素の実施形態の分解斜視図であり、滑り止めアセンブリは図１６Ａ−１６Ｂのペダルアセンブリに対応する。
【図１６Ｄ】ペダル接触要素が上に固定されている、図１６Ａの滑り止めアセンブリの斜視図である。
【００６５】
図面の中の複数の図を通して、同じ符号は同じ部品を指す。
【発明を実施するための形態】
【００６６】
次いで、特定の、限定しない本発明の実施形態が、図面を参照して説明される。そのような実施形態は、例示目的のみであり、本発明の範囲内の少数の実施形態を説明するに過ぎないことを理解すべきである。本発明に関係する当業者にとって明らかである様々な変形形態および修正形態は、添付の特許請求の範囲の中で更に定義される本発明の趣旨、範囲および考察の範囲内にあるとみなされる。
【００６７】
次いで例示的な図面を参照して、自転車ペダルおよび滑り止めアセンブリの様々な実施形態が、説明され、示される。本明細書に説明する滑り止めアセンブリは、乗り手の靴（図示せず）の底の裏面に固定されるように設計され、両面または多面ペダルアセンブリに取り付け可能であるように構成されている。ペダルアセンブリが対向する側のどちら側からもアクセス可能であるので（例えば、両面または多面）、滑り止めアセンブリは、ペダルアセンブリの２つの面のどちらか一方に解放可能に固定されることができ、それによって、滑り止めアセンブリをそれに取り付ける前に、ペダルを「正しい位置に戻す」必要性をなくす。本明細書に考察される様々な実施形態において、右側または左側のペダルアセンブリおよび滑り止めアセンブリが説明され、図面に図示されているが、ペダルアセンブリは互いの単なる鏡像に過ぎないことを理解されたい。好適な実施形態は、両面ペダルアセンブリを包含するが、本明細書に説明し、図示するペダルアセンブリは、滑り止めアセンブリに解放可能に固定するように構成されている単一面だけ、または多面（例えば、４面）を含むペダルアセンブリにおいても具現化され得ることを理解されたい。
【００６８】
図１〜図４は、ペダルおよび滑り止めアセンブリの実施形態を図示する。滑り止めアセンブリ２００の基本的構成要素およびアセンブリは、「Ｐｅｄａｌ−Ｃｌｅａｔ  Ａｓｓｅｍｂｌｙ（ペダルおよび滑り止めアセンブリ）」として、２０１０年１１月１日に出願された、同時係属の米国特許第１２／９１７，３２２号に記載される滑り止めに類似しており、本明細書に完全に記載されるように、その全体的内容を参照として本明細書に組み込むものとする。滑り止めアセンブリ２００は、概して、前方滑り止め突出部２１２ａおよび後方滑り止め突出部２１２ｂを画定する略リング状の滑り止め本体２１０を備える。前方滑り止め突出部２１２ａおよび後方滑り止め突出部２１２ｂは、ペダルアセンブリ２５０の前方滑り止めリテーナ２８０ａおよび後方滑り止めリテーナ２８０ｂによってそれぞれ係合され、保持されるように寸法形成され、構成されている。図１〜図４に示す実施形態では、前方滑り止めリテーナ２８０ａが、前方突出部２１２ａおよび、より詳細には前方の成形された挿入部２２０ａに対応するように輪郭成形され得る。ねじ２３０が、滑り止めアセンブリ２００の様々な構成要素である、滑り止め本体２１０、スペーサ２４０、円盤状本体（図示せず）および基部プレート２３２などを一体に結合するように機能し、ねじ２３０が、これらの滑り止めアセンブリ２００の構成要素を乗り手の靴底の裏面（図示せず）に固定して直接取り付けるようにする。
【００６９】
ペダルアセンブリ２５０から滑り止めアセンブリ２００を脱係合せずに、主滑り止め本体２１０、ならびにその前方突出部２１２ａおよび後方突出部２１２ｂが、靴底に対して略垂直である滑り止め回転軸を中心として乗り手の靴に対して選択され、限定された量だけ回転することを可能にする追加の構造を滑り止めアセンブリ２００は含む。これはフロート角を提供し、フロート角の正確な機構は、「Ｐｅｄａｌ−Ｃｌｅａｔ  Ａｓｓｅｍｂｌｙ（ペダルおよび滑り止めアセンブリ）として２０１２年４月３日に米国特許第２０１２−０１０３１３１号として公開された、米国特許第１２／９１７，３２２号に記載されており、その全体的内容が、全体として参照によって本明細書に組み込まれる。
【００７０】
ペダルアセンブリ２５０が、細長いスピンドル２７０を備えるように図示されている。細長いスピンドル２７０の一方の端部が、自転車のクランク（図示せず）に結合し、自転車のクランクから横方向に突出するように構成されている。細長いスピンドル２７０の他方の端部は、同一の上方滑り止め支持基部および下方滑り止め支持基部を有するペダル本体２６０に結合される。上方滑り止め支持基部が、図１および図３に図示され、前方滑り止めリテーナ２８０ａおよび後方滑り止めリテーナ２８０ｂを備えて、前方滑り止め突出部２１２ａ、および後方滑り止め突出部２１２ｂを受容し、保持するための取付け台を形成するように図示されている。
【００７１】
前方滑り止めリテーナ２８０ａおよび後方滑り止めリテーナ２８０ｂのいずれか一方または両方は、ペダル本体に枢動自在に取り付けてもよい。図１および図３に示す実施形態では、後方滑り止めリテーナ２８０ｂが、滑り止め本体に対して固定され、前方滑り止めリテーナ２８０ａが、後方滑り止めリテーナ２８０ｂに枢動自在に取り付けられ、後方滑り止めリテーナ２８０ｂに向かってばねで付勢される。前方滑り止めリテーナ２８０ａに加えられるばね付勢量を制御して調節することが、調節ねじ２９０によって可能にされる。調節ねじ２９０を制御可能に回転することによって、効果的にばね張力を締め、または緩めて、ばね張力の制御された調節を提供する。
【００７２】
図１および図３に示すものとは反対の配置が提供されてもよく、その配置では、前方滑り止めリテーナ２８０ａが、滑り止め本体に対して固定され、後方滑り止めリテーナ２８０ｂが、前方滑り止めリテーナ２８０ａに枢動自在に取り付けられ、前方滑り止めリテーナ２８０ａに向かってばねで付勢されることを理解されたい。別法として、前方滑り止めリテーナ２８０ａおよび後方滑り止めリテーナ２８０ｂの両方が、ばねに枢動自在に取り付けられ、互いに向かってばねで付勢されてもよい。
【００７３】
図１〜図４に示す実施形態に戻って参照すると、好適な実施形態では、前方滑り止めリテーナ２８０ａおよび前方突出部２１２ａ（および／または前方の成形された挿入部２２０ａ）の一方が、焼入れ鋼から形成され、前方滑り止めリテーナ２８０ａおよび前方突出部２１２ａ（および／または前方の成形された挿入部２２０ａ）の他方が、焼入れ鋼よりも大きい硬度の尺度を有する材料から作製される。別法として、または追加的に、後方滑り止め突出部２１２ｂ（および／または後方の成形された挿入部２２０ｂ）および後方滑り止めリテーナ２８０ｂの一方が、焼入れ鋼から形成され、後方滑り止め突出部２１２ｂ（および／または後方成形された挿入部２２０ｂ）および後方滑り止めリテーナ２８０ｂの他方が、焼入れ鋼よりも大きい硬度の尺度を有する材料から形成される。
【００７４】
焼入れ鋼に対する材料の相対的硬度を決定するために、モース硬度、ビッカース硬度、ブリネル硬度など、複数の硬度尺度の任意の１つを使用することができる。測定の方法に関わらず、焼入れ鋼よりも大きい硬度の尺度を有することを特徴とする任意の材料が、接触面の組のいずれか１つまたは両方で使用するために適切な材料になり得る。例えば、焼入れ鋼は、一般的に約７．０のモース硬度を有することを特徴とする。したがって、７．０よりも大きいモース硬度を有する任意の材料が、接触面の組のいずれかまたは両方で使用するために適切である。
【００７５】
非金属、例えばセラミック、より好適にはカーバイドは、そのような適切な材料の１つの種類を代表する。カーバイドは、一般に、９以上のモース硬度を有することを特徴とし、炭化ケイ素、炭化ホウ素、炭化タングステンおよび炭化チタンを含む。カーバイドは、極めて硬く、非脆性、耐食性および摩擦の存在下で他の面に耐付着性であることを特徴とするので、好適である。
【００７６】
したがって、好適な実施形態では、材料が７．０よりも大きいモース硬度を有し、非金属またはカーバイド、好適には炭化ケイ素、炭化ホウ素、炭化タングステンおよび炭化チタンから成る群から選択されるカーバイドから作製される。
【００７７】
本明細書の一般的原則は、滑り止めおよびペダルアセンブリの係合または解放のいずれかに関係する２つの摩擦接触面の少なくとも１つ（両方というわけではない）が、焼入れ鋼よりも大きい硬度の尺度（例えば、７．０より大きいモース硬度）を有する材料から作製され、好適には非金属またはカーバイド、好適には炭化ケイ素、炭化ホウ素、炭化タングステンおよび炭化チタンから成る群から選択される材料から作製されることである。
【００７８】
滑り止めおよびペダルアセンブリの係合に関係する２つの摩擦接触面は、（１）前方滑り止め突出部２１２ａ（底面または第１の付勢面）と、前方滑り止めリテーナ２８０ａの対向する外面との対、および（２）後方滑り止め突出部２１２ｂ（底面２１４または第１の付勢面）と、後方滑り止めリテーナ２８０ｂの対向する外面との対のいずれか、または両方を備える。
【００７９】
滑り止めおよびペダルアセンブリの解放に関係する摩擦接触面は、（１）前方滑り止め突出部２１２ａの側面および／またはその成形された挿入部２２０ａ（第２の付勢面）と、前方滑り止めリテーナ２８０ａの側面との対、および（２）後方滑り止め突出部２１２ｂの側面および／またはその成形された挿入部２２０ｂ（第２の付勢面）と、後方滑り止めリテーナ２８０ｂの側面２８２との対のいずれか、または両方を備える。
【００８０】
この一般的原則の１つの適用は、両方の接触面が同じ金属材料を含むことを回避して、その結果、２つの金属間の固着、冷間圧接または付着面の生成という問題を回避することである。加えて、接触面は、摩耗および断裂に耐える十分な強度および耐性を有する必要がある。
【００８１】
滑り止めアセンブリ２００の後方滑り止め突出部２１２ｂが、傾斜した第１の付勢面２１４を備えるように図示され、第１の付勢面２１４が後方リテーナ２８０ｂの外面に接触して下方へ力を加える、または接触する（軸線Ａに垂直な方向に）時、第１の付勢面２１４が後方突出部２１２ｂの係合を促進するように成形されている。これは、第１の付勢面２１４による後方リテーナ２８０ｂの外面上への第１の力または接触に相当して、前方滑り止めリテーナ２８０ａおよび後方滑り止めリテーナ２８０ｂのいずれか一方または両方を降伏位置に付勢して、前方突出部２１２ａおよび後方突出部２１２ｂが、前方滑り止めリテーナ２８０ａおよび後方滑り止めリテーナ２８０ｂによって固定されることを可能にする。
【００８２】
図１〜図４に図示するペダルアセンブリ２５０において、前方滑り止めリテーナ２８０ａおよび後方滑り止めリテーナ２８０ｂを降伏位置に設けるために、前方滑り止めリテーナ２８０ａだけが可動である。後方滑り止め突出部２１２ｂおよび後方滑り止めリテーナ２８０ｂの当接面の少なくとも１つは、適切に傾斜し、またはアール形成されて、（Ａに垂直な方向における）下方への圧力が、保持部分の撓む付勢に対抗して前方に前方滑り止めリテーナ２８０ａを押す。一旦後方滑り止め突出部２１２ｂが解除され、後方滑り止めリテーナ２８０ｂの下方の位置の中にぱちんと嵌ると、前方滑り止めリテーナ２８０ａのばねが付勢し、係合状態に戻る。
【００８３】
再び、第１の付勢面２１４および／または後方滑り止めリテーナ２８０ｂの外面の両方ではないが、少なくとも一方は、焼入れ鋼よりも硬い材料から作製され、より好適には、カーバイド材料から作製される。
【００８４】
図２に更に示すように、後方突出部２１２ｂは、傾斜した第１の付勢面２１４の対向する側上に形成され、後方突出部２１２ｂの縁部および滑り止めアセンブリ２００が結合される乗り手の靴（図示せず）の底の裏側によって形成される空洞内部に含まれる、対応して成形された凹所２２４ｂに結合する１対の成形された挿入部２２０ｂを備える。成形された挿入部２２０ｂは、ペダルアセンブリ２５０を駆動するためのカム面として機能し、より詳細には、前方滑り止めリテーナ２８０ａおよび後方滑り止めリテーナ２８０ｂを係合位置から降伏位置に駆動するためのカム面として機能する。成形された挿入部２２０ｂは、好適には、焼入れ鋼よりも大きい硬度の尺度を有する材料から作製され、より好適にはカーバイド材料から作製される。これは、後方リテーナ２８０ｂの部分が、カーバイドまたは他の適切な材料から作製されることを許容する。
【００８５】
図４Ａおよび図４Ｂは、結合された滑り止めおよびペダルアセンブリ（図４Ａ）から後方突出部２１２ｂ（図４Ｂ）を解放する順番を図示する。図４Ａで理解され得るように、滑り止めアセンブリ２００が時計回りまたは反時計回りの方向Ｂに沿って回転すると、前方の成形された挿入部２２０ａおよび後方の成形された挿入部２２０ｂがカム面として機能して、前方リテーナおよび後方リテーナのいずれか一方または両方を互いから離れるように強制的に付勢することによって、固定または係合された滑り止めアセンブリをペダルアセンブリから脱係合することを可能にする。前方リテーナ２８０ａおよび後方リテーナ２８０ｂのいずれか一方または両方が、後方の成形された挿入部２２０ｂによって代表される第２の付勢面および後方リテーナ２８０ｂの側面の一方が他方の上に、方向Ｂに第２の力を加える、または接触すると、固定されている前方突出部２１２ａおよび後方突出部２１２ｂを解放することができる降伏位置に付勢されるように構成されている。
【００８６】
後方リテーナ２８０ｂは、成形された挿入部２２０ｂの接触する縁に対応する成形された縁部２８２ｂを有する。成形された挿入部２２０ｂは、方向Ｂのいずれか一方に加えられる枢動力または動きによって、滑り止めアセンブリの前方滑り止め突出部２２０ａおよび後方滑り止め突出部２２０ｂ上のカム面が、それぞれ前方滑り止めリテーナ２８０ａおよび後方滑り止めリテーナ２８０ｂを強制的に降伏位置に付勢し、Ａで示される方向に互いから離れ、反対方向のばねの撓み付勢に対抗する。結局は、２つの滑り止めリテーナ２８０ａおよび２８０ｂが、２つの突出部２１２ａおよび２１２ｂのそれらの保持を解放するために十分離隔配置されることになる。これによって、滑り止めアセンブリ２００をペダルアセンブリ２５０から解放する。
【００８７】
この解放工程の中で、滑り止めアセンブリ２００のペダルアセンブリ２５０に対する回転運動Ｂを収容するために、前方の成形された挿入部２２０ａは曲線、または半円であり得る。好適な実施形態では、前方の成形された挿入部２２０ａおよび前方滑り止めリテーナ２８２ａの少なくとも接触面の１つまたは両方は、カーバイドから作製される。好適な実施形態では、成形された挿入部２２０ａおよび２２０ｂの接触面と、それぞれ前方リテーナ２８２ａおよび後方リテーナ２８２ｂの接触面との間に非常に精密な公差が設けられる。図１〜図４に図示する実施形態では、前方の成形された挿入部２２０ａは、前方滑り止めリテーナ２８０ａの対応する面２８２ａに接触するアール形成された面を有する。後方の成形された挿入部２２０ｂは、後方滑り止めリテーナ２８０ｂの対応する傾斜面２８２ｂに接触する傾斜面を有する。
【００８８】
図５および図６は、滑り止めアセンブリ３００のさらに別の実施形態を図示する。図３〜図６に関して図示し、説明する滑り止めアセンブリ２００についてと同様に、図５および図６の滑り止めアセンブリ３００は、滑り止め本体３１０、スペーサ３４０、円盤状の本体（図示せず）、および１対のねじ３３０によって靴底（図示せず）の裏面に一体に固定されている基部プレート３３２を備える。後方突出部３１２ｂもまた、傾斜した第１の付勢面３１４を備える。滑り止めアセンブリ３００は、図１〜図４に図示するペダルアセンブリ２５０と結合する滑り止めアセンブリ２００と同様の様式で使用され得る。したがって、滑り止めアセンブリ３００は、図１〜図４に図示するペダルアセンブリ２５０に関して滑り止めアセンブリ２００と互いに交換可能であり得る。
【００８９】
しかし、図５および図６に図示する滑り止めアセンブリ３００は、前方突出部３１２ａおよび後方突出部３１２ｂの構成に関して滑り止めアセンブリ２００とは異なる。第１に、前方突出部３１２ａは、成型された挿入部を備えず、第２に、後方突出部３１２ｂは、後方突出部３１２ｂによって画定される空洞３２２ｂの３つの側面を覆う単一の成形された挿入部３２０を備える。成形された挿入部３２０および後方突出部３１２ｂの当接面が、空洞３２２ａ内部の対応する形状の部分内に成形された挿入部３２０を確実に固定するように成形されている（図５Ｂの３２３、３２５参照）。滑り止めアセンブリ３００に係合し、結合する後方リテーナ２８０は、後方突出部３１２ｂ内に嵌合されている成形された挿入部３２０によって画定される空洞３２２ｂの中に嵌合するように成形されていることを理解されたい。好適な実施形態では、後方リテーナ２８０ｂは、挿入部３２０の当接面３２１と精密な公差を形成するように成形される。
【００９０】
したがって、図１〜図４に図示する実施形態では、ペダルアセンブリ２５０は、前方リテーナ２８０ａおよび後方リテーナ２８０ｂを備えると説明され、滑り止めアセンブリ２００は、前方突出部２１２ａおよび後方突出部２１２ｂを備えると説明される。しかし、ペダルアセンブリ２５０が、前方突出部２１２ａおよび後方突出部２１２ｂを備え、滑り止めアセンブリ２００が、前方リテーナ２８０ａおよび後方リテーナ２８０ｂを備えるように各機構が交換される可能性があることを理解されたい。
【００９１】
図５および図６に示す実施形態では、滑り止めアセンブリの第１の付勢面３１４およびペダルアセンブリの後方滑り止めリテーナ２８０ｂが、互いに強制的に接触して、滑り止めアセンブリおよびペダルアセンブリの係合を実行する。係合された滑り止めアセンブリ２００は、滑り止めアセンブリ２００をペダルアセンブリ２５０に対して方向Ｂに回転させることによってペダルアセンブリ２５０から解放されることが可能であって、滑り止めアセンブリおよびペダルアセンブリの解放を実行するためにＢに沿って回転運動すると、滑り止めアセンブリの成形された挿入部３２０の側面３２１と後方滑り止めリテーナ２８０ｂの縁部面２８２ｂとの間に強制的接触面が形成される。
【００９２】
滑り止めアセンブリのペダルアセンブリに対する係合および解放の機構が重大な破損を起こさずに円滑に発生することを保証するために、第１の接触面が第１の付勢面３１４および外面２８０ｂを備え、第２の接触面が滑り止めアセンブリの成形された挿入部３２０および後方滑り止めリテーナ２８０ｂの縁部面２８２ｂを備える、２組の接触面の少なくとも１組が、好適には、繰り返し加わる力に耐える十分な強度、および接触面の円滑な相対的摺動を可能にするために十分低い摩擦係数を有する材料から作製される。重大なことに、材料は、例えば湿っている、または汚れている場合などの様々な条件下で、これらの特性を保持しなければならない。
【００９３】
好適な実施形態では、滑り止め接触面のいずれか一方または両方が、焼入れ鋼よりも大きい硬度の尺度を有する材料から作製される。焼入れ鋼に対する材料の相対的硬度を決定するために、モース硬度、ビッカース硬度、ブリネル硬度など、複数の硬度尺度の任意の１つを使用することができる。測定方法に関わらず、焼入れ鋼よりも大きい硬度の尺度を有することを特徴とする任意の材料が、接触面の組のいずれか一方または両方で使用するために適切な材料であり得る。例えば、焼入れ鋼は、一般に約７．０のモース硬度を有することを特徴とする。したがって、７．０よりも大きいモース硬度を有する任意の材料が、接触面の組のいずれかまたは両方で使用するために適切である。
【００９４】
非金属、例えばセラミック、より好適にはカーバイドが、そのような適切な材料の１つの種類を代表する。カーバイドは、一般に９以上のモース硬度を有することを特徴とし、炭化ケイ素、炭化ホウ素、炭化タングステンおよび炭化チタンを含む。カーバイドは、極めて硬く、非脆性、耐食性および摩擦の存在下で他の面に耐付着性であることを特徴とするので、好適である。
【００９５】
次いで、図５および図６に図示する特定の実施形態を参照すると、成形された挿入部３２０は、焼入れ鋼よりも大きい硬度の尺度を有する材料から、好適にはカーバイド材料から作製されることが好ましく、後方突出部３１２ｂの残りの部分は、金属、好適には焼入れ鋼から作製される。
【００９６】
概して、成形された挿入部３２０および／または第２の滑り止めリテーナ２８０ｂのどちらか一方または両方は、焼入れ鋼よりも大きい硬度を有する材料から作製される。２つの接触面の一方だけがカーバイドから作製される実施形態では、その一方が成形された挿入部３２０であることが好ましい。２つの接触面の他方は、適切な金属、またはプラスチック、好適には焼入れ鋼から作製され得る。
【００９７】
図７〜図１１は、滑り止めアセンブリ４００およびペダルアセンブリ４５０の追加の実施形態を図示する。滑り止めアセンブリ４００は、好適にはプラスチックなどの軽量の材料から作製され、３つの細長い開口を通って延在するねじ４４０によって靴底（図示せず）に固定されるように構成されている基部プレート４１０を含む。滑り止めアセンブリ４００は、好適にはプラスチックから作製されるばね筐体４２０、および好適にはアルミニウムまたは鋼などの金属から作製される底部プレート４３０を更に含み、それらは、４つのねじ４２２によって基部プレート４１０に一体に固定されている。ばね筐体４２０および底部プレート４３０は、ペダルアセンブリ４５０の部分を受容するように寸法形成され、成形されている円形の中央開口（図９Ａおよび図９Ｂ参照）を一体に画定する。ばねまたはリテーナ部分４９０は、滑り止めアセンブリ４００がペダルアセンブリ４５０の上方に配置される場合、ペダルアセンブリ４５０に解放可能に係合するために、ばね筐体４２０と底部プレート４３０との間に取り付けられる。
【００９８】
ペダルアセンブリ４５０は、全体的に円盤状であり、上方側（滑り止め４００に係合される）および同一の下方側（滑り止め４００に係合せず、’で表示されている）を画定する２等分面に沿って対称的である。この構成は、滑り止めがペダルのどちら側にも解放可能に取り付けられることを可能にする。ペダル４５０は、スピンドル４７０を経てペダルクランク（図示せず）に取り付けるために円盤状のペダル本体４７２を含む。平面のボウタイ状挿入部４６０が、ペダル本体の外側平面内に形成される同一形状の浅い凹所の中に配置され、ねじ４６２によってペダル本体４７２に固定される。挿入部４６０は、外面全体を横切って直径方向に延在し、挿入部の上面はペダル本体の外面と同一平面である。
【００９９】
凹所の形態の係合縁部４８４ａ、４８４ｂは、平坦な挿入部４６０の対向する端部４８２ａ、４８２ｂの下でペダル本体４７２の中に画定される。係合縁部４８４ａ、４８４ｂは、滑り止めアセンブリ４００の部分によって係合されるように構成され、寸法形成されて、ペダルアセンブリ４５０に解放可能に滑り止め４００を固定する。カム挿入部４８０ａおよび４８０ｂが、各対向する端部４８２ａ、４８２ｂの下に配置され、同様に成形された凹所４８１ａ、４８１ｂの内部に固定される。カム挿入部４８０ａおよび４８０ｂは、上を覆う平坦な挿入部４６０を固定することによって、これらの類似形状の凹所の内部に閉じ込められ、滑り止めアセンブリ４００のばね４９０と協働して、滑り止めアセンブリ４００をペダルアセンブリ４５０から便利に解放することを促進する。
【０１００】
図１１は、滑り止めアセンブリ４００がペダルアセンブリ４５０に結合される場合の、ばね４９０とカム挿入部４８０ａ、４８０ｂとの間の関係を図示する。蹄鉄状のばね４９０は、ここでは係合している位置で図示され、係合位置に対して、ばね４９０が弾性的に付勢されており、対向する端部４８２ａ、４８２ｂの下でペダルアセンブリ４５０に係合するように構成されている前方脚４９２ａ、後方脚４９２ｂを備える。特に、前方脚４９２ａの内側突出部４９４ａおよび後方脚４９２ｂの内側突出部４９４ｂは、それぞれカム挿入部４８０ａ、４８０ｂの対応する成形された凹所の中に受容される。ばね４９０が、ペダルアセンブリ４５０のカム挿入部４８０ａ、４８０ｂに係合した後、滑り止めアセンブリ４００は、時計回り方向および反時計回り方向の両方に制限された程度までペダルに対して回転自在である。この制限された回転中に、ばね４９０は、ペダルアセンブリ４５０に係止された状態であり、滑り止めアセンブリ４００の残りの部分は、ばね４９０に対して回転する。ばねの中間点から外側に突出するフィンガ４９８が、２つの調節可能なねじの組４２４ａ、４２４ｂの一方に到達する時、回転量が制限され得る。ねじを調節することによって、フロート角が増加または減少する。
【０１０１】
滑り止めアセンブリ４００がペダルアセンブリ４５０に固定される前に、ばねの内側突出部４９４ａ、４９４ｂの裏面が、ペダルアセンブリ４５０のそれぞれ対向する端部４８２ａ、４８２ｂに接触する第１のばね付勢面を画定する。好適な実施形態では、第１のばね付勢面とペダルアセンブリの対向する端部４８２ａ、４８２ｂの接触面が、対向する端部４８２ａ、４８２ｂを横切るばね４９０の摺動運動を促進するように、かつ前方脚４９２ａ、および後方脚４９２ｂをばね降伏位置まで別々に付勢するように成形されている。そのために、接触面は、補完的アール形状の、または傾斜した面を有することができる。一旦前方脚４９２ａおよび後方脚４９２ｂが対向する端部４８２ａ、４８２ｂをそれぞれ解除すると、ばね４９０は、係合位置にぱちんと嵌って、それによって滑り止めアセンブリ４００をペダルアセンブリ４５０に固定する。
【０１０２】
ばねの内側突出部４９４ａ、４９４ｂは、側面に沿って画定される第２のばね付勢面４９６を更に備える。第２のばね付勢面４９６は、カム挿入部４８０ａ、４８０ｂによって画定される溝の内部に受容されるように構成され、成形されて、滑り止めアセンブリ４００をペダルアセンブリ４５０に更に固定する。どちらの回転方向でも、滑り止めアセンブリ４００のペダルアセンブリ４５０に対する回転によって、第２のばね付勢面４９６が、カム挿入部４８０ａ、４８０ｂに接触し、前方脚４９２ａおよび後方脚４９２ｂを別々にばね降伏位置に付勢する。そのために、第２のばね付勢面４９６およびカム挿入部４８０ａ、４８０ｂの接触面が、内側突出部４９４ａ、４９４ｂがカム挿入部４８０ａ、４８０ｂによって画定される溝の外へ移動して、前方脚４９２ａおよび後方脚４９２ｂを別々にばね降伏位置に付勢して、それによって、ばね４９０の解放、およびしたがって滑り止めアセンブリ４００をペダルアセンブリ４５０から解放することが可能になる。
【０１０３】
好適な実施形態では、ばね４９０は、耐久性のある弾性材料から作製される。好適な実施形態では、ばね４９０は、焼入れ鋼から作製され、カム挿入部４８０ａ、４８０ｂは、焼入れ鋼よりも大きい硬度（例えば、７．０より大きいモース硬度）の尺度を有する材料、好適には前述のようにカーバイド材料から作製される。
【０１０４】
焼入れ鋼に対する材料の相対的硬度を決定するために、モース硬度、ビッカース硬度、ブリネル硬度など、複数の硬度尺度の任意の１つを使用することができる。測定方法に関わらず、焼入れ鋼よりも大きい硬度の尺度を有することを特徴とする任意の材料は、接触面の組のいずれか一方または両方で使用するために適切な材料であり得る。例えば、焼入れ鋼は、一般的に約７．０のモース硬度を有することを特徴とする。したがって、７．０よりも大きいモース硬度を有する任意の材料が、接触面の組のいずれかまたは両方で使用するために適切である。
【０１０５】
非金属、例えばセラミック、より好適にはカーバイドが、そのような適切な材料の１つの種類を代表する。カーバイドは、一般に９以上のモース硬度を有することを特徴とし、炭化ケイ素、炭化ホウ素、炭化タングステンおよび炭化チタンを含む。カーバイドは、極めて硬く、非脆性、耐食性および摩擦の存在下で他の面に耐付着性であることを特徴とするので、好適である。
【０１０６】
図１２Ａ〜図１２Ｅは、乗り手の左の靴に取り付けるための滑り止めアセンブリ５００、および滑り止めアセンブリ５００の鏡像である乗り手の右の靴に取り付けるための滑り止めアセンブリの実施形態を図示する。滑り止めアセンブリ５００は、前方滑り止め突出部５１２ａおよび後方滑り止め突出部５１２ｂを画定する略リング状の滑り止め本体５１０を備える。前方滑り止め突出部５１２ａおよび後方滑り止め突出部５１２ｂは、ペダルアセンブリ２５０（図１）の前方滑り止めリテーナ２８０ａおよび後方滑り止めリテーナ２８０ｂのそれぞれによって係合し、保持されるように寸法形成され、構成されている。前方滑り止めリテーナ２８０ａが、前方突出部５１２ａおよび、より詳細には、前方滑り止め突出部５１２ａ上の前方の成形された挿入部５２０ａに対応するように輪郭成形され得る。ねじ５３０は、滑り止め本体５１０、スペーサ５４０、円盤状の本体５４２および基部プレート５３２などの滑り止めアセンブリ５００の様々な構成要素を一体に結合する。ねじ５３０は、これらの滑り止めアセンブリ５００の構成要素を乗り手の靴底（図示せず）の裏側に確実に直接取り付ける。
【０１０７】
好適な実施形態では、前方滑り止めリテーナ２８０ａおよび前方滑り止め突出部５１２ａ（および／または前方の成形された挿入部５２０ａ）の一方が、焼入れ鋼から形成され、前方滑り止めリテーナ２８０ａおよび前方滑り止め突出部５１２ａ（および／または前方の成形された挿入部５２０ａ）の他方が、焼入れ鋼の硬度よりも大きい硬度の尺度を有する材料から作製される。別法として、または追加的に、後方滑り止め突出部５１２ｂ（および／または後方成形された挿入部５２０ｂ、５２１ｂ）および後方滑り止めリテーナ２８０ｂの一方が、焼入れ鋼から形成され、後方滑り止め突出部５１２ｂ（および／または後方成形された挿入部５２０ｂ、５２１ｂ）および後方滑り止めリテーナ２８０ｂの他方が、焼入れ鋼の硬度よりも大きい硬度の尺度を有する材料から形成される。
【０１０８】
滑り止めアセンブリおよびペダルアセンブリの係合に関係する摩擦接触面は、（１）前方滑り止め突出部５１２ａ（底面または第１の付勢面）と、前方滑り止めリテーナ２８０ａの対向する外面との対、および（２）後方滑り止め突出部５１２ｂ（底面５１４または第１の付勢面）と、後方滑り止めリテーナ２８０ｂの対向する外面との対のいずれか、または両方を備える。
【０１０９】
滑り止めアセンブリおよびペダルアセンブリの解放に関係する摩擦接触面は、（１）前方滑り止め突出部５１２ａの側面および／またはその成形された要素５２０ａ（第２の付勢面）と、前方滑り止めリテーナ２８０ａの側面との対、および（２）後方滑り止め突出部５１２ｂの側面および／またはその成形された要素５２０ｂ、５２１ｂ（第２の付勢面）と、後方滑り止めリテーナ２８０ｂの側面２８２との対のいずれか、または両方を備える。
【０１１０】
滑り止めアセンブリ５００の後方滑り止め突出部５１２ｂが、傾斜した第１の付勢面２１４を備え、第１の付勢面５１４が後方滑り止めリテーナ２８０ｂの外面に下方へ力を加える、または外面上に接触する時、後方滑り止め突出部５１２ｂの係合を促進するように成形されている。これは、第１の付勢面５１４による後方滑り止めリテーナ２８０ｂの外面上への第１の力または接触に相当して、前方滑り止めリテーナ２８０ａおよび後方滑り止めリテーナ２８０ｂのいずれか一方または両方を降伏位置に付勢して、前方突出部５１２ａおよび後方突出部５１２ｂが、前方滑り止めリテーナ２８０ａおよび後方滑り止めリテーナ２８０ｂによって固定されることを可能にする。
【０１１１】
後方滑り止め突出部５１２ｂは、傾斜した第１の付勢面５１４の対向する側上に形成され、後方突出部５１２ｂの縁部および滑り止めアセンブリ５００が結合される乗り手の靴（図示せず）の底の裏側によって形成される空洞内に含まれる、対応して成形された凹所５２４ｂ、５２５ｂの中に受容される１対の成形された要素５２０ｂ、５２１ｂを備える。成形された要素５２０ｂ、５２１ｂは、ペダルアセンブリ２５０を駆動するためのカム面として機能し、より詳細には、前方滑り止めリテーナ２８０ａおよび後方滑り止めリテーナ２８０ｂを係合位置から降伏位置に駆動するためのカム面として機能する。成形された要素５２０ｂ、５２１ｂは、好適には、焼入れ鋼よりも大きい硬度の尺度を有する材料から作製され、より好適にはカーバイド材料から作製される。これは、後方滑り止めリテーナ２８０ｂの部分が、カーバイドまたは他の適切な材料から作製されることを可能にする。
【０１１２】
図１２Ａは、滑り止めアセンブリ５００の上面斜視図であり、対応して成形された凹所５２４ｂ、５２５ｂに受容される２つの成形された要素５２０ｂ、５２１ｂを示す。図１２Ｂは、滑り止めアセンブリ５００の上面斜視図であり、成形された凹所５２４ｂ、５２５ｂを示すために２つの成形された要素５２０ｂ、５２１ｂが省略されている。図１２Ａおよび図１２Ｂに示すように、滑り止めアセンブリ５００の内側解放側上（図１２Ａおよび図１２Ｂの左側）の成形された要素５２０ｂおよび成形された凹所５２４ｂは、図２に示す成形された挿入部２２０ｂおよび成形された凹所２２４ｂに類似する略三角形状を有する。対照的に、滑り止めアセンブリ５００の外側解放側上（図１２Ａおよび図１２Ｂの右側）の成形された要素５２１ｂおよび成形された凹所５２５ｂは、略円形または円筒形状を有する。
【０１１３】
一実施形態では、成形された要素５２１ｂが、丸みを帯びた縁部を含む略円筒形状を有する。成形された凹所５２５ｂに受容される場合、円筒形要素５２１ｂは、軸線を中心として回転または関節接合して、滑り止めアセンブリ５００を自転車のペダルから解放することを促進するように構成されている。回転および関節接合は、滑り止めアセンブリが自転車ペダルから解放される時、成形された要素と後方滑り止めリテーナ２８０ｂの側面２８２との間の摺動摩擦を低減する、またはなくす。摺動摩擦は回転抵抗に置き換えられ、それによって、滑り止めアセンブリ５００をペダルから解放するために、乗り手が滑り止めアセンブリ５００を自転車ペダルに対して枢動させることをより容易にする。
【０１１４】
一実施形態では、滑り止めアセンブリ５００は、両方のタイプの成形された要素５２０ｂおよび５２１ｂを有する。他の実施形態では、滑り止めアセンブリ５００は、２つの三角形の要素５２０ｂおよび２つの対応する成形された凹所５２４ｂ（図１〜図４と同様）を有し、または２つの円筒形要素５２１ｂおよび２つの対応する成形された凹所５２５ｂを有する。
【０１１５】
一実施形態では、小さい真鍮のシムが、円筒形要素５２１ｂを取り囲んで、回転または関節接合中によりよい潤滑を提供する。
【０１１６】
図１３Ａ〜図１３Ｇは、滑り止めアセンブリ５００の右の靴の版で使用されるリング状滑り止め本体６１０の実施形態を図示する。成形された凹所６２４ｂ、６２５ｂは、図１２Ａ〜図１２Ｅの成形された凹所５２４ｂ、５２５ｂに相当する。
【０１１７】
図１４Ａ〜図１４Ｃは、滑り止めアセンブリ５００用の円筒形要素５２１ｂの実施形態を図示する。円筒形要素は、中央部分５９２、頂部丸みを帯びた縁部５９４および底部丸みを帯びた縁５９６を備える。成形された凹所５２５ｂ（図１２Ｂ）に受容される場合、頂部丸みを帯びた縁５９４は、後方滑り止めリテーナ２８０ｂの側面２８２に係合する。
【０１１８】
図１５Ａ〜図１５Ｄは、ペダルアセンブリおよび滑り止めアセンブリを図示し、その中でペダルアセンブリ４５０が、スピンドルの軸線Ａ−Ａに沿って配置されている滑り止め接触要素４７８を有するペダル本体４７２を備える。スピンドルの軸線Ａ−Ａに相当するペダル本体上の領域４７４は、滑り止め４００がペダル本体４７０に結合される場合、滑り止め４００によって加えられる最も大きい量の力を通常は経験する。この力は、ペダル本体４７２に下方ストロークが加えられる場合、通常最も大きい。したがって、滑り止め接触要素４７８Ａおよび対応するペダル接触要素４７８Ｂが提供されて、接触するペダル面と滑り止め面によって経験される摩耗を低減する。好適な実施形態では、滑り止め接触要素４７８Ａは、スピンドルの軸線Ａ−Ａに沿って、ペダル本体４７２の表面上に配置される凹所４７６の内部に結合され、ペダル接触要素４７８Ｂは、滑り止めアセンブリ４００の基部プレート４１０の凹所４１２の内部に結合される。滑り止めアセンブリ４００が、ペダルアセンブリ４５０に結合される場合、滑り止め接触要素４７８Ａおよびペダル接触要素４７８Ｂは、直接接触し、ペダルアセンブリ４５０および滑り止めアセンブリ４００の残りの面を摩耗から保護する。
【０１１９】
図１６Ａ〜図１６Ｄは、ペダルアセンブリおよび滑り止めアセンブリの別の実施形態を図示し、その中で、ペダルアセンブリ６５０（図１６Ｃ〜図１６Ｄ）は、前方滑り止めリテーナ６８０ａおよび後方滑り止めリテーナ６８０ｂを備えて、それぞれ前方滑り止め突出部６２０および後方滑り止め阻止部６２２（図１６Ａおよび図１６Ｂ）に結合係合を提供する。滑り止めアセンブリ６００は、滑り止めアセンブリ６００の中に形成されている内側側方突出部６３２および外側側方突出部６３４を更に備えて、それぞれ内側支持パッド６５２および外側指示パッド６５４の頂上に着座する。支持パッド６５２、６５４は、スピンドルの軸線Ａ−Ａに沿って配置される。側方突出部６３２、６３４は、ペダル接触要素６７８Ｂを収容する凹所６７７を備える。同様に、内側支持パッド６５２、外側支持パッド６５４は、滑り止め接触要素６７８Ａを収容するために同様に凹所を備える。したがって、滑り止めアセンブリ６００がペダルアセンブリ６５０に結合係合する場合、滑り止め接触要素６７８Ａは、ペダル接触要素６７８Ｂに直接対向し、物理的に接触する。
【０１２０】
特に好適な実施形態では、滑り止め接触要素およびペダル接触要素のいずれか一方または両方が、焼入れ鋼よりも大きい硬度の尺度を有する材料から作製される。
【０１２１】
焼入れ鋼に対する材料の相対的硬度を決定するために、モース硬度、ビッカース硬度、ブリネル硬度など、複数の硬度尺度の任意の１つを使用することができる。測定方法に関わらず、焼入れ鋼よりも大きい硬度の尺度を有することを特徴とする任意の材料は、接触面の組のいずれか一方または両方で使用するために適切な材料である可能性がある。例えば、焼入れ鋼は、一般に約７．０のモース硬度を有することを特徴とする。したがって、７．０よりも大きいモース硬度を有する任意の材料が、接触面の組のいずれかまたは両方で使用するために適切である。
【０１２２】
非金属、例えばセラミック、より好適にはカーバイドが、そのような適切な材料の１つの種類を代表する。カーバイドは、一般に９以上のモース硬度を有することを特徴とし、炭化ケイ素、炭化ホウ素、炭化タングステンおよび炭化チタンを含む。カーバイドは、極めて硬く、非脆性、耐食性および摩擦の存在下で他の面に耐付着性であることを特徴とするので、好適である。
【０１２３】
したがって、好適な実施形態では、材料が７．０よりも大きいモース硬度を有し、非金属またはカーバイド、好適には炭化ケイ素、炭化ホウ素、炭化タングステンおよび炭化チタンから成る群から選択されるカーバイドから作製される。
【０１２４】
本明細書の一般的原則は、ペダルアセンブリと滑り止めアセンブリとの間の接触点を代表する２つのペダル接触面および滑り止め接触面の少なくとも１つ（両方というわけではない）が、焼入れ鋼よりも大きい硬度の尺度（例えば、７．０より大きいモース硬度）を有する材料から作製され、好適には非金属またはカーバイド、好適には炭化ケイ素、炭化ホウ素、炭化タングステンおよび炭化チタンから成る群から選択される材料から作製されることである。
【０１２５】
本明細書に説明し、特許請求する本発明は、本明細書に開示する特定の好適な実施形態によって範囲を制限されず、これらの実施形態は、本発明の複数の態様の説明として意図される。実際に、本明細書に図示し、説明する修正形態に加えて、本発明の様々な修正形態が、前述の説明から当業者にとって明らかになるであろう。そのような修正形態も、添付の特許請求の範囲内にあると意図するものである。
【０１２６】
以下の特許公報が、その全体を参照によって本明細書に組み込まれ、それらは、２０１１年２月１日発行の米国特許第７，８７７，９０４号、２００９年１月６日発行の米国特許第７，４７２，４９８号、２００２年１２月１７日発行の米国特許第６，４９４，１１７号、２０１２年５月３日公開の米国特許第２０１２／０１０３１３１号である。
【図１】
0006523295.tif 000002
【図２】
0006523295.tif 000003
【図３】
0006523295.tif 000004
【図４Ａ】
0006523295.tif 000005
【図４Ｂ】
0006523295.tif 000006
【図５Ａ】
0006523295.tif 000007
【図５Ｂ】
0006523295.tif 000008
【図６Ａ】
0006523295.tif 000009
【図６Ｂ】
0006523295.tif 000010
【図７】
0006523295.tif 000011
【図８Ａ】
0006523295.tif 000012
【図８Ｂ】
0006523295.tif 000013
【図８Ｃ】
0006523295.tif 000014
【図９Ａ】
0006523295.tif 000015
【図９Ｂ】
0006523295.tif 000016
【図１０】
0006523295.tif 000017
【図１１】
0006523295.tif 000018
【図１２Ａ】
0006523295.tif 000019
【図１２Ｂ】
0006523295.tif 000020
【図１２Ｃ】
0006523295.tif 000021
【図１２Ｄ】
0006523295.tif 000022
【図１２Ｅ】
0006523295.tif 000023
【図１３Ａ】
0006523295.tif 000024
【図１３Ｂ】
0006523295.tif 000025
【図１３Ｃ】
0006523295.tif 000026
【図１３Ｄ】
0006523295.tif 000027
【図１３Ｅ】
0006523295.tif 000028
【図１３Ｆ】
0006523295.tif 000029
【図１３Ｇ】
0006523295.tif 000030
【図１４Ａ】
0006523295.tif 000031
【図１４Ｂ】
0006523295.tif 000032
【図１４Ｃ】
0006523295.tif 000033
【図１５Ａ】
0006523295.tif 000034
【図１５Ｂ】
0006523295.tif 000035
【図１５Ｃ】
0006523295.tif 000036
【図１５Ｄ】
0006523295.tif 000037
【図１６Ａ】
0006523295.tif 000038
【図１６Ｂ】
0006523295.tif 000039
0006523295.tif 000040
【図１６Ｄ】
0006523295.tif 000041